(57)【要約】【課題】排気ガスシステムの効果的な使用及び排気ガス中の排気の成分のより正確な決定を可能にする、排気ガス後処理システムと、内燃エンジンと、排気ガス中の排気の成分の測定方法とを提供すること。【解決手段】少なくとも１つのシリンダ２１を有する燃焼エンジン２０のための、好ましくは大型船舶エンジンのための排気ガス後処理システム１０が、排気ガス・レシーバ１１と、好ましくは排気ガス・レシーバ１１内又はその下流に配置されるＳＣＲ反応器１２とを有する。排気ガス後処理システム１０は、好ましくはＳＣＲ反応器１２の下流に配置される、好ましくはフラップ１３を備える少なくとも１つの弁９を有する。排気ガス後処理システム１０は、好ましくは少なくとも１つの弁フラップ１３の角度位置αを測定するためのセンサを有する、弁９の開放度を測定するための測定デバイス１４を有する。【選択図】図１
2020056398.tif 000002
【特許請求の範囲】
【請求項１】
少なくとも１つのシリンダ（２１）を有する燃焼エンジン（２０）のための、好ましくは少なくとも２００ｍｍの内径を有する少なくとも１つのシリンダ（２１）を備える大型船舶エンジンのための排気ガス後処理システム（１０）であって、前記排気ガス後処理システム（１０）は、排気ガス・レシーバ（１１）と、好ましくはＳＣＲ反応器（１２）とを有し、前記ＳＣＲ反応器（１２）は前記排気ガス・レシーバ（１１）内又はその下流に配置され、前記排気ガス後処理システム（１０）は少なくとも１つの弁（９）を有し、前記少なくとも１つの弁（９）は、好ましくはＳＣＲ反応器（１２）の下流に配置され、また前記少なくとも１つの弁（９）は、好ましくはフラップ（１３）を備える、排気ガス後処理システム（１０）において、
前記排気ガス後処理システム（１０）は、前記弁（９）の開放度を測定するための測定デバイス（１４）を有し、前記測定デバイス（１４）は、好ましくは少なくとも１つの弁フラップ（１３）の角度位置（α）を測定するためのセンサを有し、また好ましくは前記少なくとも１つの弁（９）が受動的な弁であることを特徴とする、排気ガス後処理システム（１０）。
【請求項２】
前記排気ガス後処理システム（１０）は、前記弁（９）の前記開放度に基づいて、好ましくは少なくとも１つの弁フラップ（１３）の角度位置（α）に基づいて排気ガス流れ速度を決定する制御ユニット（１５）を有する、請求項１に記載の排気ガス後処理システム（１０）。
【請求項３】
前記排気ガス後処理システム（１０）は、温度センサ（１６）と、圧力センサ（１７）と、温度、圧力、及び好ましくは角度位置（α）である開放度に基づいて排気ガス質量流量を決定する制御ユニット（１８）とを有する、請求項１及び２のいずれか一項に記載の排気ガス後処理システム（１０）。
【請求項４】
前記排気ガス後処理システム（１０）は還元剤のための投与ユニット（１９）を有し、前記還元剤は、好ましくはノズル（２３）により排気ガス入口（２２）内に噴射可能であり、また前記排気ガス後処理システム（１０）は、好ましくは角度位置（α）である開放度に基づいて還元剤の量を決定する制御ユニット（２４）を有する、請求項１から３までのいずれか一項に記載の排気ガス後処理システム（１０）。
【請求項５】
前記排気ガス後処理システム（１０）は１セット（２５）の弁フラップ（１３）を有し、前記１セット（２５）の弁フラップ（１３）は、好ましくはＳＣＲ反応器（１２）の下流に配置され、また前記排気ガス後処理システム（１０）は、前記１セット（２５）の弁フラップ（１３）の複数の弁フラップ（１３）のうちの少なくとも１つの弁フラップ（１３）の角度位置を測定するための少なくとも１つのセンサを有する、請求項１から４までのいずれか一項に記載の排気ガス後処理システム（１０）。
【請求項６】
前記排気ガス後処理システム（１０）は１セット（２５）の弁フラップ（１３）を有し、前記１セット（２５）の弁フラップ（１３）は、好ましくは前記ＳＣＲ反応器（１２）の下流に配置され、前記１セット（２５）の前記弁フラップ（１３）は、すべての弁フラップ（１３）が等しい角度位置（α）を有するように、好ましくはコネクタ（２６）によって、互いに接続されている、請求項１から５までのいずれか一項に記載の排気ガス後処理システム（１０）。
【請求項７】
前記排気ガス後処理システム（１０）の前記少なくとも１つの弁（９）は少なくとも１つの弁フラップ（１３）を有し、前記少なくとも１つの弁フラップ（１３）は重力によって閉じ、
また好ましくは前記排気ガス後処理システム（１０）は、重力ベクトル（２９）の方向に対する前記弁（９）の空間的配向（２８）を決定するための測定デバイス（３３）、特に重力ベクトル（２９）に対する弁フレーム（３２）の垂直方向部分（３１）の現在の配向（２８）の逸脱を決定するための測定デバイス（３３）、例えばジャイロスコープを有する、請求項１から６までのいずれか一項に記載の排気ガス後処理システム（１０）。
【請求項８】
少なくとも１つのシリンダ（２１）を有する燃焼エンジン（２０）のための、好ましくは請求項１から７までのいずれか一項に記載の排気ガス後処理システム（１０）であって、ＳＣＲ反応器（１２）と、ＳＣＲ反応器（１２）の下流に配置される少なくとも１つの反応器出口弁（９）とを有し、少なくとも１つの反応器出口弁（３８、３９）が逆止弁であり、前記逆止弁は好ましくはノンリターン・フラップを有する、排気ガス後処理システム（１０）。
【請求項９】
前記排気ガス後処理システム（１０）は少なくとも２つのＳＣＲ反応器（１２）を有し、少なくとも１つの反応器入口弁（４０、４１）及び／又は少なくとも１つの反応器出口弁（３８、３９）が流量制御弁（３９）である、請求項８に記載の排気ガス後処理システム（１０）。
【請求項１０】
請求項１から９までの少なくともいずれか一項に記載の排気ガス後処理システム（１０）を有する、排気ガスのためのシリンダ出口（３０）を備える少なくとも１つのシリンダ（２１）を有する燃焼エンジン（２０）、好ましくは少なくとも２００ｍｍの内径を有する少なくとも１つのシリンダ（２１）を備える大型船舶エンジン。
【請求項１１】
燃焼エンジン（２０）、好ましくは請求項１０に記載の燃焼エンジン（２０）であって、前記燃焼エンジン（２０）は、排気ガスのためのシリンダ出口（３０）を備える少なくとも１つのシリンダ（２１）と、好ましくは請求項１から９までの少なくともいずれか一項に記載の排気ガス後処理システム（１０）とを有し、前記排気ガス後処理システム（１０）はＳＣＲ反応器（１２）を有し、前記燃焼エンジン（２０）は少なくとも１つの弁（９；４６）を有し、前記少なくとも１つの弁（９；４６）は前記ＳＣＲ反応器（１２）の上流及び／又は下流に配置され、また好ましくは少なくとも１つのフラップ（１３）を有し、前記燃焼エンジン（２０）は、前記弁（９；４６）の開放度を、好ましくは少なくとも１つの弁フラップ（１３）の角度位置（α）を測定するための測定デバイス（１４）を有し、前記燃焼エンジン（２０）は還元剤のための投与ユニット（１９）を有し、前記還元剤は好ましくは排気ガス入口（２２）内に噴射可能であり、前記燃焼エンジン（２０）は、前記開放度に基づいて還元剤の量を決定する制御ユニット（２４）を有する、燃焼エンジン（２０）。
【請求項１２】
前記少なくとも１つの弁（４６）が掃気レシーバ（４４）内に配置される、請求項１１に記載の燃焼エンジン（２０）。
【請求項１３】
燃焼エンジン（２０）内での、好ましくは少なくとも２００ｍｍの内径を有する少なくとも１つのシリンダ（２１）を備える大型船舶エンジン内での、特に２ストローク・ディーゼル・エンジン内での、特に請求項１０から１２のいずれか一項に記載の燃焼エンジン（２０）内でのＮＯｘ排出物を還元するため方法であって、
排気ガス入口（２２）内に噴射される還元剤の量が調整パラメータによって決定され、前記調整パラメータは少なくとも１つの弁（９；４６）の開放度の測定から、特に少なくとも１つの弁フラップ（１３）の角度位置（α）の測定から導出され、また前記少なくとも１つの弁（９；４６）はＳＣＲ反応器（１２）の上流及び／又は下流に配置されることを特徴とする、方法。
【請求項１４】
温度及び圧力が測定され、排気ガスの質量流量が、前記温度、前記圧力、及び前記少なくとも１つの弁（９；４６）の前記開放度に基づいて、特に少なくとも１つの弁フラップ（１３）の角度位置（α）に基づいて決定される、請求項１３に記載の方法。
【請求項１５】
消費燃料の質量流量が決定され、前記排気ガスの前記質量流量が、前記消費燃料の前記質量流量に基づいて、また前記少なくとも１つの弁（９；４６）の前記開放度に基づいて、特に弁フラップ（１３）の角度位置に基づいて決定され、前記弁（９）は掃気レシーバ（４４）内に配置される、請求項１３又は１４に記載の方法。
【請求項１６】
前記弁（９；４６）は弁フラップ（１３）を有し、重力ベクトル（２９）に対する現在の弁の配向（２８）の逸脱が測定され、また好ましくは前記質量流量の決定が前記逸脱によって補正される、請求項１３から１５までのいずれか一項に記載の方法。
【請求項１７】
排気ガスの質量流量を決定するための、排気ガス後処理システム（１０）内にあるフラップ（１３）の使用。
【発明の詳細な説明】
【技術分野】
【０００１】
本発明は、排気ガス後処理システムと、燃焼エンジン、好ましくは大型船舶エンジンと、燃焼機械内でのＮＯｘ排出物を還元するための方法とに関する。
【背景技術】
【０００２】
従来技術では、内燃エンジンからの、好ましくは２ストローク・クロスヘッド大型船舶エンジンからの排気を浄化することが知られている。
【０００３】
本発明による大型船舶エンジンは、そのシリンダが少なくとも２００ｍｍの内径を有する内燃エンジンである。エンジンは、シリンダの排気ガスのためのシリンダ出口を備える少なくとも１つのシリンダを有する。
【０００４】
ＮＯｘ、ＣＯｘ、又は硫黄化合物などの多様な望ましくない成分を除去するための、従来技術により知られている複数の浄化原理が存在する。
【０００５】
具体的には、例えば窒素排出物を還元するための選択的触媒還元（ＳＣＲ：ｓｅｌｅｃｔｉｖｅ  ｃａｔａｌｙｔｉｃ  ｒｅｄｕｃｔｉｏｎ）を採用することが知られている。この目的のために、触媒要素が、例えば排気マニホルド内に配置され、排気ガスが触媒要素を通るように案内される。選択的触媒還元では、尿素などの還元剤が排気ガスに加えられる必要がある。
【０００６】
現在では、浄化機構のすべてが、望ましくない化合物がどの程度の量で存在するのかを、並びにひいては特に還元剤の適切な投与に関連してどの程度の量が浄化され得るか、及びどの程度の量を浄化する必要があるかを概略的に示すことに基づく。
【０００７】
さらに、触媒要素の耐用寿命を改善するために触媒要素を通るガスの可能な限り一様な流れを提供することが必要である。
【０００８】
独国特許出願公開第１０２０１６２０５２９９号明細書が、排気ガス処理システムを備える内燃エンジンを示している。複数のシリンダの排気ガスが混合パイプ内で収集され、混合パイプが排気ガスを処理システムまで案内する。混合パイプのアウトフローのところで、排気ガスの流れが約１８０°方向転換され、その後、その方向転換がＳＣＲ触媒を通るように導かれている。独国特許出願公開第１０２０１６２０５２９９号明細書に示される構成はスペースの不利な使用につながる。提案されている構成は込み入ったものであり、したがってコスト高であり、複雑である。
【０００９】
欧州特許出願公開第３０５０６１５号明細書が、排気ガスを浄化するための流れユニットを示している。この流れユニットは案内面及び破面（ｂｒｅａｋ  ｓｕｒｆａｃｅ）を有する。一実施例では、欧州特許出願公開第３０５０６１５号明細書が、排気システム内に配置され得る流れ要素を示している（図８）。
【先行技術文献】
【特許文献】
【００１０】
【特許文献１】独国特許出願公開第１０２０１６２０５２９９号明細書
【特許文献２】欧州特許出願公開第３０５０６１５号明細書
【発明の概要】
【発明が解決しようとする課題】
【００１１】
したがって本発明の目的は従来技術の欠点を回避することであり、また具体的には排気ガスシステムの効果的な使用及び排気ガス中の排気の成分のより正確な決定を可能にする、排気ガス後処理システムと、内燃エンジンと、排気ガス中の排気の成分の測定方法とを創造することである。
【課題を解決するための手段】
【００１２】
本発明によれば、これらの目的は、独立特許請求項によるシステム、エンジン、及び方法によって達成される。
【００１３】
本発明の第１の態様によると、燃焼エンジンのための排気ガス後処理システムが、排気ガス・レシーバと、好ましくはＳＣＲ反応器とを有する。
【００１４】
燃焼エンジンが少なくとも１つのシリンダを有し、好ましくは、少なくとも２００ｍｍの内径を有する少なくとも１つのシリンダを備える大型船舶エンジンである。
【００１５】
エンジンが、好ましくは、２ストローク・クロスヘッドエンジンである。エンジンが、例として液化天然ガス又は液化石油ガスなどの、気体燃料で、並びに／或は例としてディーゼル・オイル若しくは船用ディーゼル・オイル又は重油などの、液体燃料で、動くことができる、例えば、ディーゼル・エンジン、二元燃料エンジンであってもよく、或は多種燃料エンジンであってもよい。
【００１６】
排気ガス・レシーバが、内燃エンジンの排気ガスのための少なくとも１つのマニホルド入口と、排気ガスを排気処理エリアまで案内するための少なくともハウジング出口とを有する排気マニホルドによって形成され得る。
【００１７】
ＳＣＲ反応器が排気ガス・レシーバ内に配置され得るか、又は排気ガス・レシーバの下流の、例えば排気処理エリア内に配置され得る。
【００１８】
排気ガス後処理システムが、好ましくはフラップを備える、少なくとも１つの弁を有する。
【００１９】
弁が、移動可能な弁本体と、固定的に設置される弁シートとを有することができる。弁がフラップを有することができるか、或は円板弁、スライド弁、シート弁、及び／又はポペット弁であってよい。
【００２０】
弁は、好ましくは、１つの流れ方向のみを可能にして、逆圧によって閉じられ及び／又は開けられる受動的な弁である。
【００２１】
例えば、弁が、フラップにかかる重力により、及び／又はばねの復元力により、閉じ、排気ガスによる圧力により、開く。
【００２２】
弁が、好ましくは、ＳＣＲ反応器の下流に配置される。
【００２３】
排気ガス後処理システムが、弁の開放度を測定するための測定デバイスを有する。
【００２４】
例えば、測定デバイスが、移動可能な弁本体と固定的に配置される弁シートとの間の距離を検出することができる。好ましくは、測定デバイスが、例えば排気ガス・ダンパの角度位置などの、少なくとも１つの弁フラップの角度位置を測定するためのセンサを有する。
【００２５】
弁がより大きく開くと、より多量のガスが弁を通って流れることができる。したがって、弁の開放度が、弁を通って流れるガスのボリュームのための測定尺度として使用され得る。
【００２６】
弁が受動的な又は少なくとも部分的に受動的な弁である場合、開放度が、ガス流れによる弁にかかる圧力のための及びひいてはガス流れ速度のための測定尺度として使用され得る。
【００２７】
システムの有利な実施例では、排気ガス後処理システムが、弁の開放度、好ましくは少なくとも１つの弁フラップの角度位置に基づいて、排気ガス流れ速度を決定するための制御ユニットを有する。
【００２８】
制御ユニットが制御ユニットの格納場所に保管され得る物差し又はマップを有することができ、この物差し又はマップにより、測定される開放度とガス流れ速度との間の相関関係が推定され得る。
【００２９】
また、フラップの開放面積が開放度から決定され得ることから、体積流量が決定され得る。通常、排気ガス温度及びその温度の圧力が燃焼エンジン内で測定され得る。したがって、さらに、排気の密度及び質量流量が計算され得る。
【００３０】
質量流量は、それ以外では、非常に高価な超音波デバイスによりのみ決定され得るか、或はＰｒａｎｄｔｌパイプ又は羽根車を用いても決定され得るが、これらは連続的な測定で使用することが困難である。高粒子質量流量を用いる環境では特に、汚染が誘発される可能性があり、これは相当な労力を要する保守管理のみによってしか排除され得ない。
【００３１】
好ましくは、排気ガス後処理システムが、温度センサと、圧力センサとを有する。
【００３２】
好ましくは、排気ガス後処理システムが、温度、圧力、及び開放度、好ましくはフラップの角度位置に基づいて、排気ガス質量流量を決定するための制御ユニットをさらに有する。
【００３３】
システムの好適な実施例では、排気ガス後処理システムが、還元剤のための投与ユニットを有する。排気ガス後処理システムが、開放度、好ましくは角度位置に基づいて還元剤の量を決定するための制御ユニットをさらに有する。
【００３４】
また、制御ユニットが、温度、圧力、及び開放度に基づいて排気ガス質量流量を決定することができる。
【００３５】
投与ユニットが、還元剤を収容するためのリザーバを有することができるか又はリザーバに接続され得る。
【００３６】
好ましくは、還元剤が、投与ユニットのノズルによる排気ガス入口の中に噴射可能である。
【００３７】
弁の開放度と、排気ガス後処理システムの圧力及び温度とに基づいて、質量流量が決定され得る。
【００３８】
排気ガス後処理システムにより供給を受けるＳＣＲ反応器又はターボチャージャの下流において、また具体的には船のファンネルの下流において、特定のＮＯｘ値をｇ／ｋＷｈで測定することが法律によって求められている。正確な量のＮＯｘを達成するために、ＳＣＲ反応器の上流のＮＯｘの量を知ること及び還元剤を適切に投与することが必要である。
【００３９】
投与されることになる量は、排気ガスの質量流量と、エンジン負荷と、後処理システムに入る排気ガスのｐｐｍ／ｍ３で測定されるＮＯｘの相対含有量と、に基づく。
【００４０】
相対的なＮＯｘ含有量が測定され得、燃焼エンジンの最新の動作状態に基づき、モデルに従うか又は経験的マップ（ｅｍｐｉｒｉｃａｌ  ｍａｐ）に従って決定され得る。
【００４１】
モデル又はマップが制御ユニット内に記憶され得かるか、又は制御ユニットに入手可能であってよい。
【００４２】
測定されるＮＯｘ含有量と法律によって与えられる制限との間の差が、投与されることになる還元剤の量を決定する。
【００４３】
システムの有利な実施例では、排気ガス後処理システムが少なくとも１つのセットの弁フラップを有し、好ましくは少なくとも１つの弁が少なくとも１つのセットの弁フラップを備える。排気ガス後処理システムが、セットの弁フラップ内の弁フラップのうちの少なくとも１つの弁フラップの角度位置を測定するための少なくとも１つのセンサを有する。
【００４４】
好ましくは、セットの弁フラップがＳＣＲ反応器の下流に配置される。
【００４５】
有利には、排気ガス後処理システムが、好ましくはＳＣＲ反応器の下流に配置される、少なくとも１つのセットの弁フラップを有し、ここでは、このセットの弁フラップが、好ましくはコネクタにより、互いに接続される。好ましくは、フラップが、すべての弁フラップに等しい角度位置を有させるように、接続される
【００４６】
フラップが一体的に運動し、好ましくはすべてのフラップが同時に等しい開放度を有する。したがって、すべてのフラップを通る流れが一様に分配されることになる。
【００４７】
センサが、弁の開放度を決定することを目的としてフラップのうちの１つのフラップの開放度を検出することのみが必要である。
【００４８】
有益な実施例では、排気ガス後処理システムがプリテンション弁を有し、また具体的には少なくとも１つの弁フラップを有し、ここでは弁フラップが、例えば、ばねにより、また具体的にはねじりばねにより、予め張力を加えられる。
【００４９】
したがって、弁が流れ乱流により振動又はフラッタリングすることが防止され、排気ガス後処理システムを通って流れる排気ガスの量のために、開放度が高い信頼性の測定尺度となる。
【００５０】
測定デバイスがセンサを有することができる。
【００５１】
センサが、弁の２つの要素の、好ましくは２つの閉鎖要素の、間の距離を検出することができる。センサがさらに、弁閉鎖要素の開放角度を検出することができる。センサがさらに、固定される弁要素を基準として弁作動要素の距離又は角度を検出することができる。
【００５２】
センサが後処理システムのハウジング内に配置され得るか、又は外部に配置され得る。
【００５３】
弁がフラップ回転軸を有する少なくとも１つのフラップを有することができ、少なくとも１つのフラップがフレームの内側に配置され得る。弁が外部要素をさらに有することができ、この外部要素が、例えばフラップ回転軸を中心として少なくとも１つのフラップを少なくとも部分的に回転させるために、フラップのシャフトに接続されてハウジングの外側に配置される。センサが外部要素の位置を検出することができる。したがって、測定デバイス及び／又はセンサが低温領域内に配置され、測定が排気ガスによって阻害されない。
【００５４】
センサが、光学センサ、音響センサ、磁気センサ、又は電磁気センサであってよい。
【００５５】
測定デバイスが、ビデオ・デバイスと、ビデオ信号を分析するための評価ユニットとを有することができる。
【００５６】
排気ガス後処理システムが、少なくとも１つの弁フラップと、少なくとも１つの弁フラップの運動量を測定するためのセンサとを有することができる。具体的には、弁に予め張力を加えるばね力によって生じる運動量が測定され得る。運動量が弁にかかる動圧力及びひいては開放度に相互に関連する。したがって、運動量を測定するためのセンサがさらに、開放度を測定するためのセンサとしてもみなされ得る。
【００５７】
流れ速度が運動量の測定から推定され得る。
【００５８】
好ましくは、排気ガス後処理システムの少なくとも１つの弁が少なくとも１つの弁フラップを有し、少なくとも１つの弁フラップが重力により閉じる。
【００５９】
したがって、弁フラップが強力な作動システムを必要としない。完全な閉鎖動作又は閉鎖動作の関連する少なくとも一部がフラップの重量によって引き起こされる。
【００６０】
一次元の流れを想定しまた局所的な圧力差を省略すると、質量ｍｋｌａｐｐｅを有するフラップの運動量Ｍｓｃｈｌｉｅｓｓが以下の式によって決定され得る。
【００６１】
【数１】
2020056398.tif 000003
ここで、ｒが枢動点と重心との間の距離であり、ｇが重力による加速度であり、αがフラップの開放角度であり、ｋｆがプリテンションばねのばね定数である。
【００６２】
測定ポイントにおいて一様である排気ガスが気体定数Ｒｅｘｈを有する理想気体であるとみなされる場合、密度ρが以下の式によって決定され得る：
【数２】
2020056398.tif 000004
ここで、Ｔｅｘｈが温度であり、ｐｅｘｈ，ａｂｓが排気ガスの圧力である。
【００６３】
速度ｖ及び密度ρを有するガスの動圧力ｐｄｙｎ、
【数３】
2020056398.tif 000005
が、流れ方向に対して垂直に、フラップの有効表面にかかる開放力Ｆｄｙｎを発生させる。
【００６４】
【数４】
2020056398.tif 000006
ここで、Ａｋｌａｐｐｅが全フラップ面積である。
【００６５】
フラップの開放運動量Ｍｄｙｎが、開放力Ｆｄｙｎと、流れ方向ｒ  ｃｏｓ（α）における枢動点と重心との間の距離と、の積から得られる。
【００６６】
【数５】
2020056398.tif 000007
【００６７】
開放のモーメントＭｄｙｎが閉鎖のモーメントＭｓｃｈｌｉｅｓｓより大きい場合、フラップが開くことになり、以下の平衡状態に達するまで開放角度が変化する。
【数６】
2020056398.tif 000008
又は
【数７】
2020056398.tif 000009
【００６８】
したがって、開放角度αに応じて、流れ速度が決定され得る。
【００６９】
【数８】
2020056398.tif 000010
【００７０】
排気ガスの体積流量Ｖｅｘｈが、流れ速度と、フラップによって開放される開放面積Ａｏｆｆｅｎと、によって決定され得る。
【００７１】
【数９】
2020056398.tif 000011
【００７２】
噴射されることになる尿素‐水の混合物の体積流量が、例えば、排気ガスの体積流量Ｖｅｘｈと排気ガス中のＮＯｘの体積濃度ＣＮＯｘとの積に正比例する。
【００７３】
弁が完全な閉鎖を実現するために作動システムに接続され得る。これは特には、排気ガス後処理システムが、完全に方向付けられる位置を常には維持しないかもしれないことが理由である。
【００７４】
理想的な位置では、例えば、排気ガス後処理システムを中に設置している船が港湾内にある場合、排気ガス後処理システムが、ガス圧力を一切用いないでフラップな完全な閉鎖位置に置くように及び排気ガス圧力の存在時にのみフラップが開けられるように、方向付けられ得る。
【００７５】
しかし、船が航行中であるか又は船が最適な形で負荷を受けていない場合、排気ガス後処理システムの配置構成は最適な配置構成から逸脱する可能性がある。
【００７６】
この事例では、復元力の方向が変化してよく、弁フラップの開放度がガス流れによる圧力の影響を受ける可能性があることに加えて、重力を基準とした弁の配置構成の影響も受ける可能性がある。
【００７７】
したがって、システムの好適な実施例では、排気ガス後処理システムが、重力ベクトルの方向を基準とした弁の空間的配置構成の決定のための測定デバイスを有する。
【００７８】
具体的には、測定デバイスが、重力ベクトルを基準とした、例えば弁フラップの閉鎖面などの、エンジンに固定的に接続される弁要素の最新の配置構成のずれを決定することができる。
【００７９】
測定デバイスはジャイロスコープであってよい。
【００８０】
ガス圧力による開放力を計算するために、弁の開放度に加えて、重力センサを基準としたその位置も考慮に入れるべきである。その理由は、開放度がガスの影響を受けていない可能性があるからである。
【００８１】
制御ユニットが、排気ガスの流れ速度の計算を補正するために及び／又は質量流量の計算を補正するために空間的配置構成の測定値を使用することができる。
【００８２】
また、本発明の目的が、上述した排気ガス後処理システムを有する、排気ガスのためのシリンダ出口を備える少なくとも１つのシリンダを有する燃焼エンジンによって達成される。
【００８３】
燃焼エンジンが、好ましくは、少なくとも２００ｍｍの内径を有する少なくとも１つのシリンダを備える大型船舶エンジンである。
【００８４】
エンジンが、好ましくは、２ストローク・クロスヘッドエンジンである。エンジンがディーゼル・エンジン又は二元燃料エンジンであってもよい。
【００８５】
また、本発明の目的が、好ましくは上述したような、排気ガス後処理システムを有する、排気ガスのためのシリンダ出口を備える少なくとも１つのシリンダを有する、好ましくは上述したような、燃焼エンジンによって達成される。
【００８６】
燃焼エンジンが、好ましくは、少なくとも２００ｍｍの内径を有する少なくとも１つのシリンダを備える大型船舶エンジンである。
【００８７】
エンジンが、好ましくは、２ストローク・クロスヘッドエンジンである。エンジンがディーゼル・エンジン又は二元燃料エンジンであってもよい。
【００８８】
燃焼エンジンがＳＣＲ反応器を有する。燃焼エンジンが、ＳＣＲ反応器の上流及び／又は下流に配置される、好ましくは少なくとも１つのフラップを有する少なくとも１つの弁をさらに有し、燃焼エンジンが、弁の開放度、また具体的には少なくとも１つの弁フラップの角度位置、を測定するためのセンサを有する。
【００８９】
燃焼エンジンが還元剤のための投与ユニットを有する。上記還元剤が、好ましくは、排気ガス入口の中に噴射可能である。
【００９０】
燃焼エンジンが、開放度に基づいて還元剤の量を決定するための制御ユニットを有する。
【００９１】
弁が上述した排気ガス後処理システム内に配置され得る。
【００９２】
有益な実施例では、少なくとも１つの弁が掃気レシーバ内に配置される。
【００９３】
弁が、掃気レシーバの上流に配置されるターボチャージャを逆流から保護する弁であってよい。付加的に燃料の質量流量が決定されるとき、排気ガスの質量流量がシリンダの上流に配置される弁の開放度から推定され得る。
【００９４】
また、本発明の目的が、燃焼エンジン内での、また具体的には上述した燃焼エンジン内での、ＮＯｘ排出物を還元するための方法によって達成される。
【００９５】
燃焼エンジンが、好ましくは、少なくとも２００ｍｍの内径を有する少なくとも１つのシリンダを備える大型船舶エンジンである。
【００９６】
エンジンが、好ましくは、２ストローク・クロスヘッドエンジンである。エンジンがディーゼル・エンジン又は二元燃料エンジンであってもよい。
【００９７】
この方法が、調整パラメータにより排気ガス入口の中に噴射される還元剤の量を決定するステップを含む。
【００９８】
上記調整パラメータが少なくとも１つの弁の開放度の測定から導出され、少なくとも１つの弁がＳＣＲ反応器の上流及び／又は下流に配置される。
【００９９】
具体的には、調整パラメータが、少なくとも１つの弁フラップの角度位置の測定から導出される。
【０１００】
本方法の好適な実施例では、温度及び圧力が測定され、排気ガスの質量流量が、温度と、圧力と、少なくとも１つの弁の開放度とに基づいて決定される。
【０１０１】
有益なステップで、この方法が、調整パラメータまた具体的には弁の開放度と、ガス速度及び／又は質量流量並びに／或は還元剤の適切な量と、の間の関係を確立するための較正ステップを含む。排気ガス入口の中に噴射される還元剤の量の決定が少なくともこの関係に基づいてよい。
【０１０２】
具体的には開放度、また特には少なくとも１つの弁フラップの角度位置が、センサによって測定される。
【０１０３】
本方法の別の好適な実施例では、加えて、消費燃料の質量流量が決定される。排気ガスの質量流量が、消費燃料の質量流量に基づいて、及び少なくとも弁の開放度に基づいて、決定され、ここでは、弁が、好ましくは、掃気レシーバの中に配置される。具体的には、弁フラップの角度位置が測定される。
【０１０４】
好ましくは、排気ガス入口の中に噴射される還元剤の量を計算するために、バルブ・スプリングの復元力が考慮に入れられる。
【０１０５】
有利には、重力ベクトルを基準とした最新の弁の配置構成のずれが測定される。好ましくは、質量流量の決定がずれによって補正される。
【０１０６】
また、本発明の目的が、排気ガスの質量流量の決定のために排気ガス後処理システム内でフラップを使用することによって達成される。
【０１０７】
本発明の第２の態様によると、燃焼エンジンのための、好ましくは上述したような、排気ガス後処理システムが、ＳＣＲ反応器と、ＳＣＲ反応器の下流に配置される少なくとも１つの反応器出口弁とを有する。少なくとも１つの反応器出口弁が、好ましくはノンリターン・フラップ（ｎｏｎ−ｒｅｔｕｒｎ−ｆｌａｐ）を有する、逆止弁である。
【０１０８】
排気ガス後処理システムが、排気マニホルドと、第１及び第２の処理セクションを備える少なくとも１つの排気処理エリアとを有することができる。各セクション内にＳＣＲ反応器が配置され得、各セクションが反応器出口弁を有することができる。処理エリアが単一の反応器入口弁を有することができるか、又は各セクションが反応器入口弁を有することができる。
【０１０９】
排気ガス後処理システムがバイパスをさらに有することができる。バイパスが１つ又は複数のバイパス弁を用いて開閉され得る。バイパス弁が排気マニホルドの出口のところに配置され得る。バイパスが排気処理セクションを迂回する。したがって、排気ガスが迂回させられる場合では、逆止弁がＳＣＲ反応器の中に排気ガスが流れるのを防止する。
【０１１０】
具体的にはノンリターン・フラップを備える弁である、逆止弁は、一般に、コスト効率が高く、わずかな保守管理しか必要としない。
【０１１１】
逆止弁は受動的な弁であってよく、外力によって起動される必要がない。
【０１１２】
センサが、開放度を測定するために、及び流れ速度、好ましくは排気ガスの質量流量を決定するために、逆止弁の近くに配置され得る。
【０１１３】
好ましくは、排気ガス後処理システムが少なくとも２つのＳＣＲ反応器を有し、少なくとも１つの反応器入口弁及び／又は少なくとも１つの反応器出口弁が流量制御弁であり、及び／又は一定の戻り力を有するバルブ・スプリングを有する。
【０１１４】
ＳＣＲ反応器の各々が、互いに空間的に分離されるそれぞれの処理セクション内に配置され得る。
【０１１５】
流量制御弁をオフに設定することにより、処理エリア内の全体の流れが影響を受ける可能性がある。例えば空間的条件を理由としてより多量のガスが第１のＳＣＲ反応器を通って流れる場合、それぞれの流れ制御弁がより少量のガスを通過させるように設定され得る。したがって、一様な流れ分布が達成され得る。
【０１１６】
加えて又は別法として、スプリング・バルブの戻り力が、外部の流れ状態を補償するように選択され得る。
【０１１７】
排気ガス後処理システムが、弁のうちの少なくとも１つの弁の開放度を決定するための測定ユニットをさらに有することができる。
【０１１８】
また、本発明の目的が、上述したような、排気ガス後処理システムを有する燃焼エンジンによって達成される。
【０１１９】
本発明の第３の態様によると、燃焼エンジンのための、好ましくは本発明の第１及び第２の態様に関連して上述したような、排気ガス後処理システムが、少なくとも２つのＳＣＲ反応器を有する。
【０１２０】
少なくとも１つの反応器入口弁が各ＳＣＲ反応器の上流に配置され、好ましくは、少なくとも１つの反応器出口弁が各ＳＣＲ反応器の下流に配置される。
【０１２１】
好適な実施例では、第１のＳＣＲ反応器の上流に配置される少なくとも反応器入口弁が第１の流量制御弁であり、好ましくは第１のＳＣＲ反応器の下流に配置される反応器出口弁が第２の流量制御弁である。燃焼エンジンが、好ましくは、少なくとも２００ｍｍの内径を有する少なくとも１つのシリンダを備える大型船舶エンジンである。
【０１２２】
エンジンが、好ましくは、２ストローク・クロスヘッドエンジンである。エンジンがディーゼル・エンジン又は二元燃料エンジンであってもよい。
【０１２３】
排気ガス後処理システムが、第１の流量制御弁及び好ましくは第２の流量制御弁を閉じるのを実現することができる、制御ユニットをさらに有する。具体的には、制御ユニットが、第１の流量制御弁、及び好ましくは第２の流量制御弁を加熱時間中に閉じた状態で維持するのを実現する。
【０１２４】
第２のＳＣＲ反応器の上流及び下流に配置される弁が、例えば、ノンリターン・フラップ・バルブなどの、受動的な弁であってよく、これが、流れ圧力が加えられるといに開けられ得る。したがって、ガスが加熱時間中に第２のＳＣＲ反応器のみを通過することができる。
【０１２５】
海洋分野のための排気ガス後処理システムがＮＯｘ排出物を制御するように設計される。ロケーション、環境ゾーン、及び船の出力に応じて、多様な排出制限を順守する必要がある。
【０１２６】
性能が温度に大きく左右される。しかし、通常において排気ガス温度がＳＣＲプロセスにとっての限界レベルであるような場合、排ガス規制が、低負荷においても、後処理の効率が十分に高いことを求めている。
【０１２７】
したがって、後処理システムを、また特にはＳＣＲ反応器を、最低動作温度まで、加熱するための時間的な需要（ｔｉｍｅ  ｄｅｍａｎｄ）を可能な限り低く維持するべきであり、それにより可能な限り迅速にシステムにより完全な後処理効率の準備を整わせることができる。
【０１２８】
後処理システムが２つ以上の流れ経路を有する場合、始動時間が短縮され得る。したがって、後処理システムがシステムの特定のパートを選択的に動作させるのを可能にし、またＳＣＲ反応器の数を低減するのを可能にする。排気ガスが、ＳＣＲ容積の全体のうちの一部分のみに排気ガス流れを通過させるような形で、制御される。したがって、排気ガスの全体の熱エネルギーが、容積全体の場合よりも迅速に、その使用する容積を加熱する。
【０１２９】
排気ガス後処理システムが、排気マニホルドと、少なくとも第１及び第２の処理セクションを備える少なくとも１つの排気処理エリアとを有することができる。ＳＣＲ反応器の各々が、互いに空間的に分離されるそれぞれの処理セクション内に配置され得る。
【０１３０】
各エリアが反応器入口弁及び好ましくは少なくとも１つの反応器出口弁を有することができ、好ましくはＳＣＲ反応器ごとに少なくとも１つの反応器出口弁を有する。
【０１３１】
各セクションが反応器入口及び好ましくは少なくとも１つの反応器出口弁を有することができる。
【０１３２】
好ましくは、後処理システムが温度センサを有し、より好ましくは、必要な温度に達するとすぐに第１の流量制御弁及び好ましくは第２の流量制御弁を開ける制御ユニットを有する。
【０１３３】
また、本発明の目的が、上述したような、排気ガス後処理システムを有する燃焼エンジンによって達成される。
【０１３４】
また、本発明の目的が、上述したような、燃焼エンジン内でのＮＯｘ排出物を還元するための方法によって達成される。
【０１３５】
燃焼エンジンが、好ましくは、少なくとも２００ｍｍの内径を有する少なくとも１つのシリンダを備える大型船舶エンジンである。
【０１３６】
エンジンが好ましくは２ストローク・クロスヘッドエンジンである。エンジンがディーゼル・エンジン又は二元燃料エンジンであってもよい。
【０１３７】
本方法が、少なくとも第１の流量制御弁及び好ましくは第２の流量制御弁を閉じるステップを含む。好ましくは、本方法が、加熱時間中に弁を閉じた状態で維持するステップを含む。
【０１３８】
有利には、本方法が、第２のＳＣＲ反応器の上流及び下流に配置される弁を開けるのを可能にするステップを含む。
【０１３９】
好ましくは、後処理システム内の温度が測定される。第１の流量制御弁及び好ましくは第２の流量制御弁が、温度が必要な温度値に一致するとすぐに開けられ得る。
【０１４０】
ＳＣＲ反応器が排気ガス後処理システムのパートを意味し、ここでＳＣＲ反応が起こる。しかし、これらのパートのうちの２つ以上のパートが１つの鋳造物としてまとめられてもよい。
【０１４１】
上述した燃焼エンジン又は排気ガス後処理システム内で使用される弁が、第１の及び第２の側部要素を少なくとも有するフレームを有することができる。弁がフラップ回転軸を有する少なくとも１つのフラップを有することができ、少なくとも１つのフラップがフレームの内側に配置され得る。弁が、フラップ回転軸を中心として少なくとも部分的に少なくとも１つのフラップを回転させるための作動要素を有することができる。作動要素がフレームの外側に配置され得、第１の側部要素から距離Ｄのところにあってよく、その結果、排気経路の構造要素が作動要素と側部要素との間に配置可能となる。
【０１４２】
排気ハウジングの外側に作動要素を配置することにより、作動要素が排気に一切接触することがなく、したがって、弁が高い耐久性を有することになる。さらに、排気ハウジングの内側で作動要素が一切場所をとらないことから、弁の断面が最大化される。さらに、フラップ回転軸がフレーム内に容易に固定され、構造要素がさらにフラップ回転軸に容易に接続され、その結果、完全な弁が排気ハウジングの内側に堅固に配置されて容易に起動可能となる。距離Ｄが、側部要素の外側縁部と作動要素又は連結部との間の距離として定義される。
【０１４３】
本発明による排気ハウジングが任意のハウジングであってよく、その中で排気が収集されるか又は排気が流れる。排気ハウジングが単に排気マニホルド又は排気パイプであってよい。排気ハウジングがさらに、排気マニホルド及び排気パイプのための組み合わせのハウジングであってよく、さらには、選択的触媒還元反応器などの例えば排気浄化デバイスであってよい。
【０１４４】
距離Ｄが、３０ｍｍから３００ｍｍの間の範囲内にあってよいか、また特には５０ｍｍから１００ｍｍの間の範囲内にあってよいか、好ましくは実質的に７０ｍｍであってよい。
【０１４５】
この距離では、排気経路の構造要素が作動要素と側部要素との間に配置可能である。
【０１４６】
フラップ回転軸がフラップの実質的に中央に配置され得、フラップの長手方向軸を延ばす。
【０１４７】
このようにして、トルクが低減され、フラップが容易に回転させられ得る。
【０１４８】
弁が、少なくとも２つの、好ましくは３つの、より好ましくは４つの、また具体的には６つの、フラップを有することができる。７つ以上のフラップを有することもさらに考えられる。
【０１４９】
これにより、開口部断面が最適に分布されるようになり、またフラップ回転軸にトルクがかかるようになる。
【０１５０】
フラップ回転軸が、フラップの長さＦＬの少なくとも１０５％、好ましくは少なくとも１１０％、より好ましくは少なくとも１２０％に一致する長さＬＲを有することができる。
【０１５１】
これにより、排気ハウジングの構造要素及び作動要素を接続することが可能となり、それにより弁の内側の排気のための断面を失うことなくフラップを回転させることが可能となる。
【０１５２】
フラップ回転軸が２つのパートを有することができ、２つのパートが好ましくは互いに接続可能であり、ここでは、第１のパートが実質的にフレームの内側に配置され、第２のパートが実質的にフレームの外側に配置され、好ましくは作動要素に接続される。
【０１５３】
このデザインにより弁を容易に設置することが可能となる。その理由は、弁の第１のパートが、フラップ回転軸の第１のパートを有する排気ハウジングの内側に配置され得、その後、フラップ回転軸の第１のパートが既に排気ハウジング内に設置されている場合にフラップ回転軸の第２のパートがフラップ回転軸の第１のパートに接続され得るからである。これにより設置コストが大幅に低減される。
【０１５４】
フラップ回転軸の第１のパートと第２のパートとの間の接続部がヘックス・キー接続部であってよい。
【０１５５】
ヘックス・キー接続部を使用することにより、フラップ回転軸の回転運動がフラップ回転軸の第２のパートから第１のパートへと高い信頼性で伝達され、さらに、完全なフラップ回転軸を設置することが非常に容易になる。さらに、例えば熱膨張などによる、第１のパートに対しての第２のパートのいかなる角度的なずれも容易に補償され得る。その理由は、ヘックス・キー接続部が角度的なずれを許容するからである。
【０１５６】
もちろん、正方形キー、オクタゴナル・キー（ｏｃｔａｇｏｎａｌ  ｋｅｙ）、又は三角形キーなどの、ヘックス・キー接続部のような類似の接続部が、フラップ回転軸の第１のパート及び第２のパートを接続するのに使用されてもよい。
【０１５７】
フラップ回転軸の第１のパートの長さが、フラップ回転軸の第２のパートの長さより長くてよい。
【０１５８】
これにより容易に設置することが可能となり、また同時にフラップ回転軸を安定させることを可能となる。
【０１５９】
フラップ回転軸が、側部要素内の軸受、好ましくはセラミックの滑り軸受及び／又はグラファイトの滑り軸受、の中に配置され得る。
【０１６０】
側部要素内の軸受により、フラップ回転軸の回転運動がより安定して案内されるようになる。
【０１６１】
セラミック又はグラファイトの軸受は、具体的には５００℃を超える温度などの、排気ハウジングの過酷な排気環境においても高い耐久性を有する。
【０１６２】
フラップ回転軸が、側部要素の間で、フレームの内側の少なくとも１つの追加の軸受内に配置されてもよく、これは好ましくはセラミックの滑り軸受及び／又はグラファイトの滑り軸受である。
【０１６３】
この目的のために、フレームが、少なくとも１つの軸受を有し、側部要素に実質的に平行に配置される中間要素をさらに有する。もちろん、フラップ回転軸の安定性をより高くすることが必要である場合にフレームの内側に配置される２つ以上の中間要素が存在してもよい。
【０１６４】
フレームが、好ましくは、弁の安定性を向上させるための頂部要素及び底部要素を有する。
【０１６５】
具体的には、上述した燃焼エンジン又は排気ガス後処理システムが、弁セクション及び上で説明した少なくとも１つの弁を有する排気ハウジングを有することができる。
【０１６６】
排気ハウジングの弁セクションが、中に弁が配置され得るセクションである。弁セクションが構造要素を有し、構造要素の中に回転軸が配置され得、構造要素が十分な安定性を有し、その結果、フラップ回転軸が安定する形で回転させられ得る。したがって、構造要素が少なくとも５０ｍｍの幅を有し、その結果、２５ｍｍの直径を有する回転軸が構造要素内に堅固に配置され得る。
【０１６７】
弁セクションが排気ハウジングの構造プレートであってよい。
【０１６８】
このようにして、構造プレートがフラップ回転軸の接続ポイントとしても同時に使用され得る。
【０１６９】
作動要素が排気ハウジングの外側に配置され得る。
【０１７０】
このようにして、作動要素が排気に接触することがなく、したがって高い耐久性を有する。
【０１７１】
弁が、ＳＣＲ反応器の特には上流の、エンジンの高圧エリア内に配置され得る。
【０１７２】
排気ハウジングのこの過酷な環境で、弁がその機能を最適に満たすことができ、それでも非常に高い耐久性を有する。
【０１７３】
作動要素が電気モータであってよい。
【０１７４】
電気モータが容易に制御され、容易に交換される。さらに、電気モータが比較的安価であり、標準的な部品として購入され得る。
【０１７５】
構造要素が４つの開口部を有することができ、各開口部が１つのフラップ回転軸を受け入れる。
【０１７６】
これにより、４つのフラップを備える弁を排気ハウジングの中に配置することが可能となる。
【０１７７】
排気ハウジングが３つ以上の弁を有することができ、具体的には７つの弁を有することができる。
【０１７８】
これにより、排気を１つ又は２つの排気処理デバイスまで誘導すること又は排気を排気ハウジングの出口まで直接に誘導することが可能となる。出口の後、排気が好ましくはターボチャージャまで誘導される。
【０１７９】
上述した燃焼エンジン又は排気ガス後処理システムが排気ハウジングを有することができ、排気ハウジングが、内燃エンジンの排気ガスのための少なくとも１つのハウジング入口と、排気ガスのための少なくとも１つのハウジング出口とを有することができる。ハウジングが排気マニホルド及び第１の排気処理エリアを有することができる。排気マニホルドが、少なくとも１つのハウジング入口と、排気ガスを第１の排気処理エリアまで案内するための少なくとも１つのマニホルド出口とを有することができる。第１の排気ガス処理エリアが第１及び第２のダクトを有することができる。第１の排気処理セクションが第１のダクト内に配置され得、第２の排気処理セクションが第２のダクト内に配置され得る。第１の排気ガス処理エリアが、排気ガスを第１のダクトのための第１のパート及び第２のダクトのための第２のパートに分けるための分岐部をさらに有することができる。分岐部が第１及び第２のダクトの上流に配置され得る。
【０１８０】
第１のダクトが主要な流れ圧縮部（ｆｌｏｗ  ｃｏｎｓｔｒｉｃｔｉｏｎ）を有することができ、その結果、第１及び第２のダクトの流れ分布が最適化される。
【０１８１】
通常の動作状態下で、流れ圧縮部が存在しない場合、排気処理セクションのうちの一方に入る流れがもう一方より大きくなる可能性がある。これにより特には排気ハウジングが非対称になり、特には触媒セクションの寿命が短くなる。
【０１８２】
流れ圧縮部の結果として、第１の排気処理セクションの中に入る流れが減少し、対して第２の排気処理セクションの中に入る流れが増加する。それにより、第１及び第２の排気処理セクションの間の流れ分布が最適化され得る。例えば、一実施例では、流れ圧縮部が、第１及び第２の触媒セクションの中に入る流れを実質的に等しくするように、構成され得る。
【０１８３】
排気処理セクションのうちの１つ又はすべてが触媒セクションであってよい。触媒セクションが選択的触媒反応（ＳＣＲ：ｓｅｌｅｃｔｉｖｅ  ｃａｔａｌｙｔｉｃ  ｒｅａｃｔｉｏｎ）のための触媒を有する。代替的実施例では、排気処理セクションが選択的非触媒反応（ＳＮＣＲ：ｓｅｌｅｃｔｉｖｅ  ｎｏｎ−ｃａｔａｌｙｔｉｃ  ｒｅａｃｔｉｏｎ）で排気ガスを処理することができる。触媒セクションが１つ又は複数の層を有することができる。層は、標準的な、個別に交換可能な構成要素であってよい。
【０１８４】
第１及び第２のダクトが平行に配置され得る。「平行に」は、排気ガスを２つのストリームに分離することとして理解される。具体的な実施例では、第１のダクト及び第２のダクトが、少なくとも部分的に実質的に同じ方向に沿うように流体を案内する。他の実施例では、第１及び第２のダクトが流体を反対方向に案内する。
【０１８５】
排気ガス処理エリアが、排気ガスを第１のダクトのための第１のパート及び第２のダクトのための第２のパートに分離するための、分離領域又は分割パート或は分岐を有することができる。
【０１８６】
分岐部が、排気ガスを、２つ、３つ、又はそれ以上のパートに分離することができる。第１のダクト及び第２のダクトが、好ましくは、排気ガスを個別に案内にするように適合される。
【０１８７】
第２のダクトの入口が第１のダクトの入口の上流に配置され得る。このような排気ハウジング内では、流れが下流のダクトに集中する傾向を有することを理由として、流れ分布を案内することが特に有利である。これらのダクト内では、流れ速度が高いことを理由として触媒要素がより迅速に減損する。
【０１８８】
一実施例では、第１及び第２の排気ダクトがＺタイプ又はＵタイプのマニホルドとして形成され得る。第１及び第２のダクトがそれらのそれぞれの端部のところで結合することができる。別法として、第１及び第２のダクトが、分離する排気ハウジング出口につながっていてもよい。
【０１８９】
流れ圧縮部が、第１のダクトに沿う形で、第１のダクトの入口のところに配置され得るか、又は第１のダクトの出口のところに配置され得る。好適な実施例では、流れ圧縮部が第１のダクトの入口のところに配置される。流れ圧縮部の後方での圧力降下の結果として、第１の排気処理セクション内の圧力が低下する。
【０１９０】
排気マニホルドがバイパスをさらに有することができる。バイパスが１つ又は複数のバイパス弁を用いて開閉され得る。バイパス弁が排気マニホルドの出口のところに配置され得る。バイパスが排気処理セクションを迂回する。それにより、排気ガスが、排気マニホルド入口から排気ハウジング出口まで直接に案内される。これにより、排気マニホルドをエネルギーを節約する構成にすることが可能となる。
【０１９１】
制御装置が弁を制御するように構成され得、その結果、第１の弁構成内で排気ガスが第１及び第２の排気処理セクションを通るように案内され、第２の弁構成内で排気ガスがバイパスを通るように案内される。
【０１９２】
第１及び／又は第２のダクトがダクト出口弁を有することができる。それにより、選択されるダクトのみが動作させられ得る。例えば、触媒セクションのうちの１つの触媒セクションの中の触媒要素に欠陥がある場合、この触媒セクションを有するダクトが閉じられ得る。
【０１９３】
さらに、排気マニホルドが、バイパスが開けられているときにダクト出口弁を閉じるように構成される制御装置を有することができる。それにより、バイパスが開けられているときの第１及び／又は第２のダクトの中への逆流が防止され得る。
【０１９４】
排気マニホルドがマニホルド出口弁を有することができる。マニホルド出口弁が、マニホルド出口弁が閉じられているときの排気ガス処理エリアの中への或は第１及び第２のダクトの一方又は両方の中への流れを阻止することができるように、構成され得る。別法として、第１及び／又は第２のダクトが個別の入口弁を有することができる。
【０１９５】
一実施例では、排気マニホルドが複数の入口を有する。排気マニホルドが複数の出口をさらに有することができる。好適な実施例では、排気マニホルドが、内燃エンジンの各シリンダのための少なくとも１つの入口を有する。
【０１９６】
排気ガス処理エリアが、第１及び第２のダクトの下流に排気ガス収集チャンバを有することができる。第１及び第２のダクトが排気ガスをガス収集チャンバまで案内することができる。少なくとも１つの排気マニホルド出口が排気ガス収集チャンバ内に配置され得る。排気ガス収集チャンバが、排気ガスの処理の後で排気ガスを混合するのを可能にする。
【０１９７】
各触媒セクションが少なくとも１つの触媒要素を有することができる。触媒要素が交換可能であってよい。触媒セクション及び／又は触媒要素が標準的な構成要素であってよく、及び／又は等しいサイズを有することができる。それにより、単一の触媒セクション及び／又は触媒要素の交換が非常に単純なものである。触媒要素が触媒層であってよい。
【０１９８】
一実施例では、第１及び第２の触媒セクションが２つ又は３つ或はそれ以上の触媒要素を有することができる。好ましくは、両方の触媒セクションが２つ又は３つ或はそれ以上の触媒要素を有する。
【０１９９】
一実施例では、流れ圧縮部が：バッフル・プレート、多孔プレート、弁また具体的にはプレート弁、１つ又は複数のフラップ、第１のダクトの断面の圧縮部、のうちの少なくとも１つによって形成される。一実施例では、流れ圧縮部がプレートによって形成され、プレートが第１のダクトの断面の一部分を覆う。
【０２００】
多孔プレートが好適な実施例である。多孔プレートは特に単純であり、作るのが容易である。さらには、組み込むこと、つまり多孔プレートを既存の排気マニホルドに加えることが、特に単純である。
【０２０１】
本明細書で使用される場合の多孔プレートは、そこを流体が通って流れることができる１つ又は複数の孔を備えるプレートである。孔は、円形、楕円形、正方形、三角形、又は任意の他の適切な形状であってよい。好適な実施例では、孔が規則的であり、多孔プレート全体にわたって一様に分布される。一実施例では、孔が細長いスリットによって形成され得る。代替的実施例では、多孔プレートが１つの孔のみを有することができる。
【０２０２】
一実施例では、流れ圧縮部が調整可能である。それにより、流れ圧縮部が最新の流体ストリームに合うように調整され得、任意のスループットでストリームの平衡状態を維持することができる。流れ圧縮部は具体的には可変の多孔プレートであってよい。
【０２０３】
多孔プレートは、例えば２つの多孔プレートを互いの上に配置することにより、可変となり得る。多孔プレートのうちの一方の多孔プレートがもう一方の多孔プレートを基準として相対的に移動させられ得、それにより孔のうちの一部又はすべてを閉じることができる。多孔プレートが例えばモータにより能動的に作動され得る。別法として、多孔プレートが、例えば、ばねを用いて多孔プレートに接続されることにより、受動的に作動され得る。それにより、圧力が増大する場合に多孔プレートがさらに開くようになる。
【０２０４】
本明細書で使用されるバッフル・プレートは、流体の流れの方向を方向転換するのに使用され得るプレートである。
【０２０５】
一実施例では、流れ圧縮部が、乱流を導入するように設計される。乱流は、第１のダクトの断面に対して孔のサイズを変化させることによって導入され得る。圧縮部の直前の第１のダクトの断面と流れ圧縮部の断面との間の好適な比は５％から６０％の間であり、さらに好ましくは１０％から４０％の間である。
【０２０６】
また、流れ圧縮部のサイズ（つまり、最小流れ断面の面積）が、排気ガス・マニホルドを通って質量流量に関連して選択され得る。排気ハウジングが、エンジンからの排気ガスの質量流量に関する情報を受け取るためのインターフェースを有することができる。別法として又は加えて、排気マニホルドが流れセンサを有することができる。流れセンサが、排気マニホルド入口のところに並びに／或はダクトのうちの１つ若しくは複数のダクト又はすべてのダクトの中に、配置され得る。この情報に従って、流れ圧縮部が調整され得る。
【０２０７】
一実施例では、流れ圧縮部が、意図される流れ方向に対して垂直に配置される多孔プレートである。これは、主要な流れ圧縮部のための特に単純な構成である。
【０２０８】
第１の排気処理セクションが第１のキャパシティを有することができ、第２の排気処理セクションが第２のキャパシティを有することができる。流れ圧縮部が、第２のダクトを通る体積ストリーム（ｖｏｌｕｍｅ  ｓｔｒｅａｍ）によって割られる第１のダクトを通る体積ストリームの比を触媒セクションのキャパシティの比に一致させるように、設計され得る。それにより、各排気処理セクションが等しい率で減損する。好ましくは、第１及び第２の触媒セクションが等しいキャパシティを有する。
【０２０９】
一実施例では、主要な流れ圧縮部が、第１及び第２の排気処理セクションを通るスループットを実質的に等しくするように、設計される。その結果、排気ガスが一様に分配されるようになり、したがって触媒反応の効率が向上する。
【０２１０】
一実施例では、第１及び第２の排気処理セクションが実質的に等しいスループット・キャパシティを有する。スループットは、各排気処理セクションのサイズ及び材料特性と、それぞれの触媒セクション内の触媒要素の数とによって画定される。
【０２１１】
好適な実施例では、排気ハウジングが第２の排気ガス処理エリアを有する。第１の排気ガス処理エリアが排気ガスの１つのパートを処理するように適合され、第２の排気ガス処理エリアが排気ガスの別のパートを処理するように適合される。第２の排気ガス処理エリアが第３及び第４のダクトを有する。さらに、第２の排気ガス処理エリアが、排気ガスを第３のダクトのための第３のパート及び第４のダクトのための第４のパートに分けるための分岐部を第３及び第４のダクトの上流に有する。第３及び第４の排気処理セクションが、それぞれ、第３及び第４のダクト内に配置される。副次的な流れ圧縮部が第３のダクト内に配置され、その結果、第３及び第４のダクトの流れスループットが最適化される。
【０２１２】
それにより、排気マニホルドのキャパシティが増大され得る。加えて、第２の排気ガス処理エリアが触媒セクションをコンパクトな構成にするのを可能にする。さらに、第３及び第４のダクトの間の流れの平衡状態が維持される。
【０２１３】
一般に、第３のダクトが第１のダクトと同様に構成され得る。第１のダクトに関連して言及したすべての特徴及び特定の実施例が第３のダクトにも適用される。同様のことが第４及び第２のダクトにもそれぞれ適用される。
【０２１４】
好適な実施例では、第１及び第２の破棄処理エリアが互いに対称に配置される。好ましくは、第１及び第２の排気処理エリアが平面対称である。第１及び第２の排気処理エリアが等しいキャパシティを有することができる。
【０２１５】
単に例として、添付図面に関連させて、本発明の非限定の実施例を説明する。
【図面の簡単な説明】
【０２１６】
【図１】排気ガス後処理システムを備える燃焼機械の第１の実例を示す概略断面図である。
【図２】１セットの弁フラップを備える弁を示す概略斜視図である。
【図３】燃焼機械の第２の実例を示す概略断面図である。
【図４】排気ガス後処理システムの第２の実例を示す断面図である。
【図５】排気ガス後処理システムの第３の実例を示す断面図である。
【発明を実施するための形態】
【０２１７】
図１は、シリンダ出口３０を備える少なくとも１つのシリンダ２１と、排気ガス後処理システム１０とを有する燃焼エンジン２０の第１の実例の概略図を断面図として示す。
【０２１８】
排気ガス後処理システム１０は、排気ガス・レシーバ１１と、排気ガス・レシーバ１１の中に又はその下流に配置されるＳＣＲ反応器１２とを有する。
【０２１９】
排気ガス後処理システム１０はフラップ１３を備える弁９を有し、弁９はＳＣＲ反応器１２の下流に配置される。
【０２２０】
排気ガス後処理システム１０は、例えば光学センサを備える、弁９の開放度（ｏｐｅｎｉｎｇ  ｄｅｇｒｅｅ）を測定するための測定デバイス１４を有する。
【０２２１】
排気ガス後処理システム１０は、弁９の開放度に基づいて、排気ガス流れ速度を決定するための制御ユニット１５を有する。
【０２２２】
排気ガス後処理システム１０は、温度センサ１６と、圧力センサ１７と、温度、圧力、及び開放度に基づいて排気ガス質量流量を決定するための制御ユニット１８とを有する。排気ガス速度を決定するための制御ユニット１５及び排気ガス質量流量を決定するための制御ユニット１８は単一のユニットとして形成され得る。
【０２２３】
排気ガス後処理システム１０は、還元剤のための投与ユニット１９をさらに有する。還元剤は、好ましくは、ノズル２３により排気ガス入口２２の中に噴射可能である。
【０２２４】
排気ガス後処理システム１０は、弁９の開放度に基づいて還元剤の量を決定するための制御ユニット２４を有する。
【０２２５】
還元剤の量を決定するための制御ユニット２４及び排気ガス質量流量を決定するための制御ユニット１８は単一のユニットとして形成され得る。排気ガス質量流量を決定するための制御ユニット１８は、還元剤の量を決定するための制御ユニット２４の一部であってよい。
【０２２６】
図２は、１セット２５の弁フラップ１３を有する弁９の概略図を斜視図として示している。１セット２５の弁フラップ１３はコネクタ２６により互いに接続され、その結果、すべての弁フラップ１３が等しい角度位置αを有する。弁９の開放度を決定するためには、角度位置αを測定することで十分である。
【０２２７】
１つの弁フラップ１３がばね２７によって予め張力を加えられる。
【０２２８】
弁９の空間的配な配向（向き）２８が重力ベクトル９に一致していない場合でも、重力により及びばね２７の張力によりフラップは閉じる。
【０２２９】
燃焼エンジン２０（図１を参照）の理想的な位置では、例えば弁フレーム３２の垂直方向部分３１などの弁９の特別な配向２８が重力ベクトル２９に一致し、又は重力ベクトル２９を基準として少なくとも固定位置を有する。
【０２３０】
排気ガス後処理システム１０は、重力ベクトル２９の方向を基準とした弁９の空間的配向２８を決定するための測定デバイス３３（図１を参照）を有する。開放度から流れ速度を計算するために、ずれ（逸脱；ｄｅｖｉａｔｉｏｎ）が考慮に入れられ得る。
【０２３１】
図３は燃焼機械２０の第２の実例の概略図を断面図として示す。
【０２３２】
燃焼エンジン２０は、シリンダ２１の排気ガスのためのシリンダ出口３０を備える１つのシリンダ２１と、ＳＣＲ反応器１２を備える排気ガス後処理システム１０とを有する。
【０２３３】
燃焼エンジン２０は還元剤のための投与ユニット１９を有する。この還元剤は排気ガス入口２２の中に噴射可能である。
【０２３４】
空気が、ターボチャージャ４５から供給を受ける掃気レシーバ４４からシリンダ２１の中に導入される。
【０２３５】
掃気レシーバ４４がフラップ１３を備える入口弁４６を有する。
【０２３６】
弁４６はＳＣＲ反応器１２の上流に配置される。
【０２３７】
燃焼エンジン２０は、弁４６の開放度を測定するための測定デバイス１４をさらに有し、また燃焼エンジン２０は、開放度に基づいて還元剤の量を決定するための制御ユニット２４を有する。還元剤の量を決定するために、温度、圧力、及び／又は燃料の質量流量に関する情報をやはり考慮に入れる必要がある。
【０２３８】
図４は排気ガス後処理システム１０の第２の実例の断面を示す。
【０２３９】
排気ガス後処理システム１０の排気ガス・レシーバ１１が、排気マニホルド３４、及び２つの排気処理エリア３５を有し、排気処理エリア３５の各々が第１の処理セクション３６及び第２の処理セクション３７を備える。各セクション３６、３７の中にＳＣＲ反応器１２が配置され、各セクションは反応器出口弁３８、３９を有することができる。
【０２４０】
各処理エリア３５は反応器入口弁４０、４１をさらに有する。
【０２４１】
排気ガス後処理システム１０はバイパス４２をさらに有する。バイパス４２はバイパス弁４３を用いて開閉され得る。バイパス弁４３は排気マニホルド３４の出口として配置される。バイパス４２は排気処理セクション３６、３７を迂回する。
【０２４２】
処理セクション３６、３７の反応器出口弁３８、３９は逆止弁である。したがって、排気ガスが迂回させられる事例では、逆止弁３８、３９がＳＣＲ反応器１２内に排気ガスが流れるのを防止する。
【０２４３】
第２の処理セクション３７の反応器出口弁３９は流量制御弁であり、対して第１の処理セクション３８の反応器出口弁３８は受動的な弁であり、受動的な弁はガス流れの圧力によって開く。
【０２４４】
流量制御弁３９は、例えば完全に開くのを防止され得、その結果、セクション３６、３７を通るガスの自由流れと比較してより多量のガスが第１のセクション３６を通って流れることになる。
【０２４５】
排気ガス後処理システム１０は、弁３８、３９の開放度を測定するための測定デバイス１４（この図では開示されない）をさらに有することができる。測定デバイス１４は排気ガス後処理システム１０のハウジング４５の外側に配置され得る。測定デバイス１４は弁フラップ１３のシャフトに結合されるセンサを有することができる。
【０２４６】
図５は、排気ガス後処理システム１０の第３の実例の断面を示す。
【０２４７】
排気ガス後処理システム１０は、排気マニホルド３４と、第１の処理セクション３７と、第２の処理セクション３６とを有する。各セクション３６、３７の中にＳＣＲ反応器１２が配置され、各セクション３６、３７は、反応器出口弁３８、３９、及び反応器入口弁４０、４１を有することができる。
【０２４８】
反応器入口弁４１は第１の流量制御弁であり、反応器出口弁３９は第２の流量制御弁である。
【０２４９】
弁３８、４０は受動的な弁であってよく、受動的な弁は排気ガスの圧力によって開く。
【０２５０】
反応器出口弁３９及び反応器入口弁４１は昇温時間中に閉じた状態で維持され、その結果、昇温時間中、排気ガス全体が第２のセクション３６のみを通過する。
【符号の説明】
【０２５１】
９  弁
１０  排気ガス後処理システム
１１  排気ガス・レシーバ
１２  ＳＣＲ反応器
１３  フラップ
１４  測定デバイス
１５  制御ユニット
１６  温度センサ
１８  制御ユニット
１９  投与ユニット
２０  燃焼エンジン
２１  シリンダ
２２  排気ガス入口
２３  ノズル
２４  制御ユニット
２６  コネクタ
２７  ばね
２８  空間的配向
２９  重力ベクトル
３０  シリンダ出口
３１  垂直方向部分
３２  弁フレーム
３３  測定デバイス
３４  排気マニホルド
３５  排気処理エリア
３６  第１の処理セクション
３７  第２の処理セクション
３８、３９  反応器出口弁
４０、４１  反応器入口弁
４２  バイパス
４３  バイパス弁
４４  掃気レシーバ
４６  入口弁
α  角度位置
【図１】
2020056398.tif 000012
【図２】
2020056398.tif 000013
【図３】
2020056398.tif 000014
【図４】
2020056398.tif 000015
【図５】
2020056398.tif 000016
【外国語明細書】
2020056398000001.pdf